【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
外部直流電源の正極側出力端子および負極側出力端子と繋ぐケーブルがそれぞれ対応する端子に着脱可能に接続される入力端子部と、
前記入力端子部から入力される前記外部直流電源の出力直流電力を別の電圧値の直流電力へ変換するコンバータと、
前記コンバータの出力直流電力を交流電力へ変換するインバータと、
前記入力端子部と前記コンバータとの間に直列に挿入された電流ヒューズと、
を備え、
前記コンバータは、
リアクトルの一端とスイッチ素子の一端とを接続し、前記リアクトルと前記スイッチ素子との接続点に第１のダイオードのアノード端子を接続し、前記リアクトルの他の一端と前記スイッチ素子の他の一端との間に直流の電力を入力し、前記第１のダイオードのカソード端子と前記スイッチ素子の他の一端との間から電力を出力する昇圧形の回路構成とし、前記リアクトルと前記スイッチ素子との前記接続点に第２のダイオードのカソード端子を接続し、前記第２のダイオードと前記スイッチ素子とを並列接続し、
前記スイッチ素子はワイドギャップ半導体素子であり、
前記第２のダイオードはシリコン製の半導体素子である、
ことを特徴とするパワーコンディショナ。
【請求項２】
外部直流電源の正極側出力端子および負極側出力端子と繋ぐケーブルがそれぞれ対応する端子に着脱可能に接続される入力端子部と、
前記入力端子部から入力される前記外部直流電源の出力直流電力を別の電圧値の直流電力へ変換するコンバータと、
前記コンバータの出力直流電力を交流電力へ変換するインバータと、
前記入力端子部と前記コンバータとの間に直列に挿入された電流ヒューズと、
を備え、
前記コンバータは、
リアクトルの一端とスイッチ素子の一端とを接続し、前記リアクトルと前記スイッチ素子との接続点に第１のダイオードのアノード端子を接続し、前記リアクトルの他の一端と前記スイッチ素子の他の一端との間に直流の電力を入力し、前記第１のダイオードのカソード端子と前記スイッチ素子の他の一端との間から電力を出力する昇圧形の回路構成とし、前記リアクトルと前記スイッチ素子との前記接続点に第２のダイオードのカソード端子を接続し、前記第２のダイオードと前記スイッチ素子とを並列接続し、
前記スイッチ素子はワイドギャップ半導体素子であり、
前記第１のダイオードはワイドギャップ半導体素子であり、
前記第２のダイオードはシリコン製の半導体素子である、
ことを特徴とするパワーコンディショナ。
【請求項３】
外部直流電源の正極側出力端子および負極側出力端子と繋ぐケーブルがそれぞれ対応する端子に着脱可能に接続される入力端子部と、
前記入力端子部から入力される前記外部直流電源の出力直流電力を別の電圧値の直流電力へ変換するコンバータと、
前記コンバータの出力直流電力を交流電力へ変換するインバータと、
前記入力端子部と前記コンバータとの間に直列に挿入された電流ヒューズと、
を備え、
前記コンバータは、
リアクトルの一端とスイッチ素子の一端とを接続し、前記リアクトルと前記スイッチ素子との接続点に第１のダイオードのアノード端子を接続し、前記リアクトルの他の一端と前記スイッチ素子の他の一端との間に直流の電力を入力し、前記第１のダイオードのカソード端子と前記スイッチ素子の他の一端との間から電力を出力する昇圧形の回路構成とし、前記リアクトルと前記スイッチ素子との前記接続点に第２のダイオードのカソード端子を接続し、前記第２のダイオードと前記スイッチ素子とを並列接続し、
前記リアクトルの他の一端にアノード端子を接続し、前記第１のダイオードのカソード端子にカソード端子を接続する第３のダイオードを接続しており、
前記スイッチ素子はワイドギャップ半導体素子であり、
前記第１のダイオードはワイドギャップ半導体素子であり、
前記第２のダイオードおよび前記第３のダイオードはシリコン製の半導体素子である、
ことを特徴とするパワーコンディショナ。
【請求項４】
外部直流電源の正極側出力端子および負極側出力端子と繋ぐケーブルがそれぞれ対応する端子に着脱可能に接続される入力端子部と、
前記入力端子部から入力される前記外部直流電源の出力直流電力を別の電圧値の直流電力へ変換するコンバータと、
前記コンバータの出力直流電力を交流電力へ変換するインバータと、
前記入力端子部と前記コンバータとの間に直列に挿入された電流ヒューズと、
を備え、
前記コンバータは、
リアクトルの一端とスイッチ素子の一端とを接続し、前記リアクトルと前記スイッチ素子との接続点に第１のダイオードのアノード端子を接続し、前記リアクトルの他の一端と前記スイッチ素子の他の一端との間に直流の電力を入力し、前記第１のダイオードのカソード端子と前記スイッチ素子の他の一端との間から電力を出力する昇圧形の回路構成とし、前記リアクトルと前記スイッチ素子との前記接続点に第２のダイオードのカソード端子を接続し、前記第２のダイオードと前記スイッチ素子とを並列接続し、
前記リアクトルの他の一端にアノード端子を接続し、前記第１のダイオードのカソード端子にカソード端子を接続する第３のダイオードを接続しており、
前記スイッチ素子はシリコン製の半導体素子であり、
前記第１のダイオードはワイドギャップ半導体素子であり、
前記第２のダイオードおよび前記第３のダイオードはシリコン製の半導体素子である、
ことを特徴とするパワーコンディショナ。
【請求項５】
前記電流ヒューズの過電流溶断特性を、前記第１のダイオードおよび前記第２のダイオードの順方向過電流許容特性未満とする、
ことを特徴とする請求項１または２に記載のパワーコンディショナ。
【請求項６】
前記電流ヒューズの過電流溶断特性を、前記第２のダイオードおよび前記第３のダイオードの順方向過電流許容特性未満とする、
ことを特徴とする請求項３または４に記載のパワーコンディショナ。
【請求項７】
前記入力端子部の電圧を測定する第１の電圧センサと、
前記コンバータの出力部の電圧を測定する第２の電圧センサと、
前記入力端子部への外部結線接続が終了し当該パワーコンディショナの電源が投入されると、前記コンバータおよび前記インバータを動作停止状態に制御し、前記第１の電圧センサで計測された電圧が直流電圧であって極性が前記入力端子部の正極および負極の極性と一致し、かつ、前記第１の電圧センサで計測された電圧値から前記第２の電圧センサで計測された電圧値を減算した電圧差が、前記リアクトルと前記第１のダイオードの順方向電圧降下の合計値以下の場合に、前記コンバータおよび前記インバータを動作停止状態からそれぞれの変換動作へ移行させる制御を行う制御手段と、
を備えることを特徴とする請求項１，２または５に記載のパワーコンディショナ。
【請求項８】
前記入力端子部の電圧を測定する第１の電圧センサと、
前記コンバータの出力部の電圧を測定する第２の電圧センサと、
前記入力端子部への外部結線接続が終了し当該パワーコンディショナの電源が投入されると、前記コンバータおよび前記インバータを動作停止状態に制御し、前記第１の電圧センサで計測された電圧が直流電圧であって極性が前記入力端子部の正極および負極の極性と一致し、かつ、前記第１の電圧センサで計測された電圧値から前記第２の電圧センサで計測された電圧値を減算した電圧差が、前記第３のダイオードの順方向電圧降下の合計値以下の場合に、前記コンバータおよび前記インバータを動作停止状態からそれぞれの変換動作へ移行させる制御を行う制御手段と、
を備えることを特徴とする請求項３，４または６に記載のパワーコンディショナ。
【請求項９】
前記制御手段は、
前記第１の電圧センサで計測された電圧が直流電圧であるが極性が前記入力端子部の正極および負極の極性と一致しない場合、または、前記第１の電圧センサで計測された電圧が交流電圧である場合、当該パワーコンディショナの運転を保留し、当該パワーコンディショナの運転状態を報知する報知手段に異常を知らせる情報を出力させる、
ことを特徴とする請求項７または８に記載のパワーコンディショナ。
【請求項１０】
前記制御手段は、
前記報知手段に出力させる異常を知らせる情報を、前記第１の電圧センサで計測された直流電圧の極性が前記入力端子部の正極および負極の極性と一致しない場合と、前記第１の電圧センサで計測された電圧が交流電圧である場合とを区別可能に生成する、
ことを特徴とする請求項９に記載のパワーコンディショナ。